(57)【要約】【課題】初心者にとっても取り扱い性がよく破損することのないゴルフティーを提供する。【解決手段】本考案のゴルフティー１は、柔軟性及び伸縮性があり、多くの空隙が三次元に存在するスポンジ状の合成樹脂発泡体で形成され、所定寸法の筒状部と、ゴルフボール５の載置用凹面部３とからなり、前記凹面部にゴルフボールを置いた状態でグランドＧ上に静置し得るように構成されていることを特徴とする。【選択図】図１
0003128230.tif 000002
【実用新案登録請求の範囲】
【請求項１】
柔軟性及び伸縮性があり、多くの空隙が三次元に存在するスポンジ状の合成樹脂発泡体で形成され、所定寸法の筒状部と、ゴルフボールの載置用凹面部とからなり、前記凹面部にゴルフボールを置いた状態でグランド上に静置し得るように構成されていることをとしたゴルフティー。
【請求項２】
請求項１に記載のゴルフティーにおいて、
前記筒状部の両端に前記凹面部が形成されていることを特徴とするゴルフティー。
【請求項３】
請求項１又は請求項２に記載のゴルフティーにおいて、
前記合成樹脂発泡体は、ポリウレタン樹脂からなることを特徴とするゴルフティー。
【請求項４】
請求項１乃至請求項３のいずれかに記載のゴルフティーにおいて、
前記筒状部の長さが異なるものを、単独若しくはそれらを２以上組み合わせて使用することを特徴としたゴルフティー。
【考案の詳細な説明】
【技術分野】
【０００１】
本考案は、ゴルフのティーショットを行う際に用いられるゴルフティーに関する。
【背景技術】
【０００２】
従来より、ゴルフのティーショットを行う際に用いられるゴルフティーとしては、ゴルフボールが載置される載置部と、地面に差し込まれる先尖り状の軸部とから構成され、略棒状で、木製やプラスチック製からなるものが知られている。
このようなゴルフティーは、ティーショットに適合する高さに上記軸部を地面に突き刺して使用されるが、ゴルフティーの取り扱いに慣れていない初心者、或いは慣れているものであっても、ティーグランドが人工芝であったり、土質が固い場合は、所望する高さに調整するのが難しいという点が問題となっていた。
また木製やプラスチック製からなるゴルフティーは、ティーショットの際に、破損してしまったり、ゴルフボールと一緒にゴルフティーが飛んでいってしまうと芝に紛れてみつけられず、紛失してしまうという問題もあった。
【０００３】
下記特許文献１には、上下方向に貫通空間を有する軟質円筒状体であって、下面をティーグラウンド上に載置し、打撃時に上面上に載置したゴルフボールとともに飛行することを特徴としたゴルフティーが開示されている。これによれば、ティーグラウンドへの差込みを要することがなく、打撃の際の衝撃力がゴルフティーで消費されることがなく、飛距離を伸ばすことができるとされている。
下記特許文献２には、軸部にリングが嵌合されており、軸部の軸線に対して水平方向に少なくとも２以上の溝や少なくとも３以上の凸条が周設され、軸部の下部表面には、軸部の下方から上方に向かって斜めに立ち上がる抵抗板が設けられているゴルフティーが開示されている。これによれば、軸部に嵌合されたリングによって、ティーショットに適合する高さの調整がしやすくなり、下部表面に設けられた抵抗板によって、ティー本体を打撃しても、地面から抜けにくく、ゴルフティーの紛失を防止することができるとされている。
【特許文献１】特開昭６２−１３９６７９号
【特許文献２】特開２００５−２９６０２６号
【考案の開示】
【考案が解決しようとする課題】
【０００４】
上記特許文献１のゴルフティーは、地面の上に載置して使用するものであるため、高さの調整をする必要はないが、ティーアップした際におけるボールの適正な高さは、芝の高さやプレーヤーの好みによっても異なるため、これに対応するには、様々な高さのものを用意する必要がある。
また上記特許文献２のゴルフティーは、高さ調整がしやすく、打撃の際に抜けにくいため、ゴルフティーの紛失を防止することはできるかもしれないが、構造が複雑なため、製造コストが高くなるという懸念や軸部に抵抗板があるので、ゴルフティーを手袋やベルトに挟んだりポケットにしまいこむことができず、その取り扱い性に問題がある。
【０００５】
本考案は、初心者にとっても取り扱い性がよく、破損することのないゴルフティーを提供するものである。
【課題を解決するための手段】
【０００６】
本考案に係るゴルフティーは、柔軟性及び伸縮性があり、多くの空隙が三次元に存在するスポンジ状の合成樹脂発泡体で形成され、所定寸法の筒状部と、ゴルフボールの載置用凹面部とからなり、前記凹面部にゴルフボールを置いた状態でグランド上に静置し得るように構成されていることを特徴とする。
本考案において、ゴルフティーの筒状部の両端に、凹面部が形成されているものとすることができる。
【０００７】
また本考案において、合成樹脂発泡体は、ポリウレタン樹脂からなるものとすることができ、また上記筒状部の長さが異なるものを、単独若しくはそれらを２以上組み合わせて使用することができる。
【考案の効果】
【０００８】
本考案のゴルフティーによれば、筒状部は、柔軟性及び伸縮性のある合成樹脂の発泡体でなるので、ティーショットの際に破損するようなことがなく、多くの空隙が三次元に存在するスポンジ状のものなので、非常に軽量でなり、汚れたら丸洗いすることも可能である。またポケット等に収納する際には、場所をとらずに収納できる。またゴルフグローブやベルト等、隙間があればそこに縮めた状態に挟んで携帯できるので便利である。
更に凹面部にゴルフボールを置いて使用するようにしているので、従来の略棒状で地面に突き刺して使用するゴルフティーとは異なり、ゴルフティーの高さを調整する必要がなく、グランドの状態に影響を受けることなく、簡単に使用することができる。そしてゴルフクラブによってゴルフティーをたたいてしまうミスショットがあっても、ゴルフティーによる抵抗が非常に少ないため、飛距離への影響を少なくできる。
よってゴルフティーの取り扱いに慣れていない初心者や慣れているものであっても、取り扱い性のよいものとすることができる。
【０００９】
また本考案のゴルフティーによれば、筒状部の両端に、凹面部が形成されているものとすることができるので、上下どちら側にもゴルフボールを載置できる。よって、使用する際に、上下の向きを確認することなく、グランド上に直ぐに静置させることができるので、利便性がよい。また凸凹した芝の上でも、グランドに接する面が凹面であると、安定性がよいものとできる。
更に本考案のゴルフティーによれば、合成樹脂発泡体は、ポリウレタン樹脂からなるものとすることができる。
そして本考案のゴルフティーによれば、筒状部の長さが異なるものを、単独若しくはそれらを２以上組み合わせて使用することができるので、ゴルフティーの高さをグランドの状態等に応じて、プレーヤーの所望する高さに調整することができる。そしてこれらを複数種類準備し、販売セットとして販売することも可能である。
【実施例】
【００１０】
以下、本考案の実施例を図面に基づき説明する。
図１は本考案に係るゴルフティーの一例を示す斜視図、図２は図１のゴルフティーの変形例の縦断面図、図３（ａ）は本考案のゴルフティーの通常の状態を示す図、図３（ｂ）はゴルフティーを縮めた状態を示す図、図４は本考案のゴルフティーの使用状態を示す図、図５（ａ）は筒状部の長さが異なるゴルフティーを夫々示した図、図５（ｂ）は図５（ａ）に示す二つの筒状部を上下に組合わせた状態を示した図、図６は本考案のゴルフティーの更に別の変形例を示す図である。
【００１１】
本考案のゴルフティーはゴルフのティーショットの際にゴルフボール５を凹面部３に載置して用いられるもので、図中、１はゴルフティー、２はグランド面部、３は凹面部、４は筒状部、５はゴルフボール、Ｇはグランドを示している。
ゴルフティー１は柔軟性及び伸縮性のある合成樹脂の発泡体でなり、多くの空隙が三次元に存在するスポンジ状の所定寸法の筒状部４とゴルフボール５の載置用凹面部３が形成されており、グランド面部２を下にしてゴルフティー１をグランドＧ上に置き、凹面部３にゴルフボール５を置いて使用するようにしていることを特徴とする。
【００１２】
即ち、本考案のゴルフティー１は、図１に示すように多くの空隙が三次元に存在するスポンジ状の円筒体でなり、大小様々な孔がランダムに（不規則に）散在した海綿状ともいえる特徴的な形態でなる。図１の例のゴルフティー１は、円筒体の筒状部４の一方端を、グランド面部２とし、グランドＧ上に静置し得るように平坦に形成されている。他方端は、凹面部３であり、ゴルフボール５が載置できるよう凹面状に刳り貫いて形成されている。
ここでグランド面部２は図１のように平坦に形成されたものに限定されず、図２に示すように、グランド面部２側もゴルフボール５が載置できるよう凹面状としたものであってもよい。即ち、グランドＧ上に接するグランド面部２も凹面状とすれば、両端面を載置用凹面部３とできるので、上下どちら向きにも使用でき、便利である。またグランドＧ上が芝で平坦ではなく、凸凹している場合でも、グランド面部２側が凹面状であれば、凸凹の影響を受けにくく、安定してゴルフボール５を凹面部３に載置することができる。
【００１３】
ゴルフティー１はこのように凹面部３、筒状部４、グランド面部２が一体に形成された合成樹脂発泡体でなるものであり、図２に示す縦断面図からもわかるように、筒状部４内側も合成樹脂発泡体で形成されている。ここで本考案のゴルフティー１は、柔軟性、伸縮性があるといっても、ゴルフボール５を凹面部３に載置した状態で図３（ａ）に示すように起立した状態に維持可能なものとし、指で押圧すると図３（ｂ）に示すようにつぶれる程度の柔軟性、伸縮性を有したものである。合成樹脂発泡体としては、上述のような特徴的な形態が実現可能で、安価に製造することができ、且つ適度な柔軟性、伸縮性を有するなポリウレタン樹脂が採用される。その他、多くの空隙が三次元に存在するスポンジ状のものであればポリエチレン樹脂、ポリプロピレン樹脂等を用いることもできる。例えばエステー化学株式会社製の「激ピカ  スポンジたわし」を円筒状にカットし、一方端をグランド面部２、他方端を凹面部３とすれば本考案のゴルフティー１を実現することができる。
【００１４】
このように筒状部４は、柔軟性及び伸縮性のある合成樹脂の発泡体でなるので、従来の木製或いはプラスチック製でなるゴルフティーのように、ティーショットの際に破損することがなく、多くの空隙が三次元に存在するスポンジ状のものでなるので、非常に軽量でなり、汚れたら丸洗いすることも可能である。
そして本考案に用いられる発泡体の空隙率は大きく高発泡のものなので、水を吸収し保持しやすい食器洗い等によく用いられる空隙率の小さいスポンジとは異なり、水を含みにくく、水切れがよいので、雨天時に使用しても、手で絞り水分を取ればすぐにポケット等に収容することができる。また上述のようなスポンジは、水を含むとちぎれやすくなり、劣化するとゴルフボール５を載置したときの安定性が低下する等の問題があるが、本考案のものは水切れがよいため、劣化しにくく、耐久性もよいものとできる。更に本考案のゴルフティー１は、空隙が多数形成された筒状体でなるものであるので、その空隙にフック状の金具や紐を通せばかばんやベルト等にひっかけることができ、携帯しやすく、大変便利である。
【００１５】
そして本考案は、グランド面部２を下にしてグランドＧに置き、凹面部３にゴルフボール５を置いて使用するようにした点に特徴があるものである。即ち、凹面部３にゴルフボール５を置いた状態でグランドＧ上に静置し得るように構成されているので、ゴルフティーの高さを調整する必要がなく、グランドＧの状態に影響を受けることなく、簡単に使用することができる。またゴルフクラブによる打撃の際でも、ゴルフティー１による抵抗がないため、飛距離への影響を少なくできる。
【００１６】
即ち、上述のように非常に軽量で且つ従来のゴルフティーのように地中に埋め込まれている部分もないので、本考案のゴルフティー１は、ティーショットをするとゴルフボール５が飛ぶのと一緒にゴルフティー１も飛ぶので、打球の際にゴルフヘッドでゴルフティー１をたたいても、ゴルフボール５にストレートに力を与えることができる。
よって初心者には好適なゴルフティー１といえる。
また上述のように、ゴルフクラブによる打撃によりゴルフティー１が飛んでいくので、その際に見つけやすいよう、そしておしゃれ感を与えるよう、ゴルフティー１はショッキングピンクや黄色等の目立つ、明るい色とすることが好ましく、蛍光塗料を付したものとしてもよい。
【００１７】
本考案のゴルフティー１は、柔軟性及び伸縮性のある合成樹脂の発泡体でなるので、ポケット等に縮めた状態（図３（ｂ）参照）で挟んで携帯することができる。即ち、ゴルフティー１として使用する際には、凹面部３が上方になるようグランドＧの上に静置し、凹面部３上にゴルフボール５を載置してティーショットを行う（図４参照）。そしてティーショットが終われば、ゴルフティー１を手でつまみ、上下両側から押しつぶせば図３（ｂ）の状態となるので、ゴルフグローブやベルト等、隙間があれば、そこに縮めた状態に挟んで携帯できるので便利である。特に、グランド面部２を凹面部３と同形状とした図２に示す形状とすれば、グランド面部２を平坦に形成した場合よりも、一層、圧縮されやすいものとできる。そして押し力がなくなれば、もとの形状に復元するので、グランド上に静置すれば、すぐにゴルフティー１として使用可能である。またポケットやかばんの中等に収納する際には、柔軟性、伸縮性があるので、変形自在で収容場所に応じて場所をとらずに収納できる。
【００１８】
本考案のゴルフティー１は、所定寸法の筒状体でなり、筒状部４の長さは２０ｍｍ〜６０等とされ、従来の地面に突き刺して使用するタイプのゴルフティーのように高さ調整をする必要がないものであるが、図５（ａ）及び（ｂ）に示すように筒状部４の長さが異なるものを準備すれば、組み合わせて使用することができる。例えば筒状部４の長さが１０ｍｍ〜２０ｍｍ程度のものと、３０ｍｍ〜５０ｍｍ程度のものを用意すれば、高い方のゴルフティー１だけでは高さが足りないと感じる場合に、低い方のゴルフティー１を上に乗せ（図５（ｂ）参照）、最上段の凹面部３にゴルフボール５を載置すればよい。
このようにこれによれば、ゴルフティー１の高さを容易に芝の状態等に応じて、プレーヤーの所望する高さに調整することができる。
また本考案のゴルフティー１は合成樹脂の発泡体でなるため、鋏でカットすることも容易であり、プレーヤーの所望する高さに切って使用することもできる。
【００１９】
図６は本考案のゴルフティーの更なる変形例を示す図である。
この変形例は、筒状部４の中央部位にくびれ部４ａが形成されている点が上述の例とは異なる。このようにくびれ部４ａが形成されたものとすれば、押圧による圧縮率が増すので、狭い隙間にも挟み易いものとすることができる。
【００２０】
尚、ゴルフティー１の形状は図例のものに限定されず、筒状体でなり、凹面部３にゴルフボール５を置いた状態でグランドＧ上に静置し得るような形状であればよい。また図５では筒状部４の長さが異なるものを複数種類準備する例として、２つ準備したものを示しているが、２つに限定されるものではない点は言うまでもない。
【図面の簡単な説明】
【００２１】
【図１】本考案に係るゴルフティーの一例を示す斜視図である。
【図２】本考案のゴルフティーの変形例を示す縦断面図である。
【図３】（ａ）は本考案のゴルフティーの通常の状態を示す図、（ｂ）はゴルフティーを縮めた状態を示す図である。
【図４】本考案のゴルフティーの使用状態を示す図である。
【図５】（ａ）は筒状部の長さが異なるゴルフティーを夫々示した図、（ｂ）は図５（ａ）に示す二つの筒状部を上下に組合わせた状態を示した図である。
【図６】本考案のゴルフティーの更なる変形例を示す図である。
【符号の説明】
【００２２】
１      ゴルフティー
２      グランド面部
３      凹面部
４      筒状部
５      ゴルフボール
Ｇ      グランド
【図１】
0003128230.tif 000003
【図２】
0003128230.tif 000004
【図３】
0003128230.tif 000005
【図４】
0003128230.tif 000006
【図５】
0003128230.tif 000007
【図６】
0003128230.tif 000008